(57)【要約】【課題】  複数の被処理物を、スピンドルを介して長尺物に取り付けた状態で、当該長尺物を長尺台車とともに周回動作等させながら表面処理することができる被処理物搬送装置およびそれを用いた被処理物の装飾方法を提供する。【解決手段】  被処理物を取り付けるためのスピンドルを有する長尺物と、当該長尺物を取り外し可能に係合する長尺台車と、当該長尺台車を移動させるための移動手段と、を備えた被処理物搬送装置であって、長尺台車と、移動手段との間に、複数の接合箇所を設けるとともに、長尺台車の非直進進行に伴って、当該複数の接合箇所間の距離を変更するための可変部材を設ける。【選択図】  図１
2005320114.tif 000002
【特許請求の範囲】
【請求項１】
被処理物を取り付けるためのスピンドルを有する長尺物と、当該長尺物を取り外し可能に係合する長尺台車と、当該長尺台車を移動させるための移動手段と、を備えた被処理物搬送装置であって、
前記長尺台車と、前記移動手段との間に、複数の接合箇所を設けるとともに、前記長尺台車の非直進進行に伴って、当該複数の接合箇所間の距離を変更するための可変部材を設けることを特徴とする被処理物搬送装置。
【請求項２】
前記接合箇所の間の距離を変更するための可変部材として、前記接合箇所の少なくとも一つに、距離アジャスタを設けることを特徴とする請求項１または２に記載の被処理物搬送装置。
【請求項３】
前記可変部材の一部または全部の動作を停止させるか、あるいは前記可変部材を取り外して、当該複数の接合箇所間の距離を一定値に固定変更することを特徴とする請求項１または２に記載の被処理物搬送装置。
【請求項４】
前記前記移動手段が、コンベヤチェーンであることを特徴とする請求項を特徴とする請求項１〜３のいずれか一項に記載の被処理物搬送装置。
【請求項５】
前記長尺物の長さを２０〜２，０００ｍｍの範囲内の値とすることを特徴とする請求項１〜４のいずれか一項に記載の被処理物搬送装置。
【請求項６】
前記スピンドルを回転させるための回転手段が設けてあることを特徴とする請求項１〜５のいずれか一項に記載の被処理物搬送装置。
【請求項７】
被処理物搬送装置を用いて、被処理物に対して、装飾処理を行う製造方法において、下記工程（１）および（２）を含むことを特徴とする被処理物の装飾方法。
（１）前記被処理物を取り付けるためのスピンドルを有する長尺物と、当該長尺物を取り外し可能に係合する長尺台車と、当該長尺台車を移動させるための移動手段と、を備えた被処理物搬送装置であって、前記長尺台車と、前記移動手段との間に、複数の接合箇所を設けるとともに、前記長尺台車の非直進進行に伴って、当該複数の接合箇所間の距離を変更するための可変部材を設けた被処理物搬送装置を用いて、前記被処理物に対して、表面処理を行う工程
（２）表面処理した被処理物をスピンドルに取り付けたまま、当該スピンドルを有する長尺物を長尺台車から取り外し、表面処理した被処理物を加熱または蒸着処理する工程
【請求項８】
前記工程（１）において、前記コンベヤチェーンを周回動作させながら、前記長尺物のスピンドルの取り付けた被処理物に対して、表面処理を行うことを特徴とする請求項７に記載の被処理物の装飾方法。
【発明の詳細な説明】
【技術分野】
【０００１】
本発明は、被処理物搬送装置および被処理物の装飾方法に関し、特に、複数の被処理物を、スピンドルを介して長尺物に取り付けた状態で、当該長尺物を長尺台車とともに周回動作等させながら表面処理することができる被処理物搬送装置およびそれを用いた被処理物の装飾方法である。
【背景技術】
【０００２】
従来、図１０に示すように、移動手段１０６として、拡大図として円内に示す周回運動するコンベヤチェーン１０６を用いるとともに、そのコンベヤチェーン１０６に対して、所定間隔でスピンドル１０２を設けていた。そして、スピンドル１０２の上方に、置き皿１０４をさらに配置し、その置き皿１０４の上に、被処理物として、例えば、ガラス容器や樹脂成形品を取り付けて、プライマー処理や塗装処理等の表面処理を行っていた。
しかしながら、被処理物に対してプライマー処理を行う場合、その乾燥、硬化のためには、被処理物を、スピンドルから一旦取り外して、別途準備した加熱炉内に収容して、プライマー層を形成しなければならなった。次いで、被処理物に対して塗装処理を行う場合、プライマー層を形成した被処理物を、再びスピンドルに取り付けた後、当該スピンドルを回転させながら、塗装装置（図示せず）を用いて、装飾処理を行う必要があった。そして、硬化塗膜を得るためには、装飾処理した被処理物を、スピンドルから一旦取り外して、再び加熱炉内に収容しなければならなかった。
したがって、従来の被処理物搬送装置および被処理物の装飾方法を用いた場合には、被処理物を、スピンドルに対して、何度も装着したり、取り外したりしなければならず、被処理物の生産効率（処理効率）が極めて低いという問題が見られた。
【０００３】
また、自動車部品などの被塗装物（Ｗ）を搬送しながら塗装する被処理物搬送用コンベヤ装置として、塗装ラインに設けられた一対の上下レールと、該上レール上を、被処理物を載置して走行する搬送台車と、該搬送台車を走行させる側面駆動用のコンベヤチェーンとを備えた被処理物搬送用コンベヤ装置が提案されている（例えば、特許文献１参照）。
より具体的には、図１１に示すように、被塗装物搬送用コンベヤ装置２００は、一対の上下レール２１２ａ、２１２ｂと、搬送台車２１３と、この搬送台車２１３を走行させるための側面駆動用のコンベヤチェーン２１４とからなり、搬送台車２１３は上レール２１２ａ上を走行するように構成されている。また、コンベヤチェーン２１４は、上下レール２１２ａ、２１２ｂの側方に沿って、除塵室（Ｐ２）および塗装ブース（Ｐ３）を含む塗装ラインを矢印に沿って、周回走行する。そして、搬送台車２１３はコンベヤチェーン２１４に設けられた係合プレート（図示せず）が、横側方から係合することにより、押送されて進行する。すなわち、図示しないものの、二つの主車輪が前後に配置されており、下レール１２ｂの両側面に接触するようにガイド部材であるガイドローラが前後に配置されている。
【０００４】
次いで、塗装ラインを終了した搬送台車２１３は、反転部Ｐ４から、別に設けられた乗り継ぎ用コンベヤチェーン２１５により、乾燥工程（Ｄ）の乾燥工程入り口（Ｄ１）まで移送されて、そのままの向きでオーブンコンベヤ２１６に移載される。その結果、オーブンコンベヤ２１６に移載された搬送台車２１３は、被塗装物（Ｗ）の長手方向がオーブンコンベヤ２１６の進行方向と直交する向きとなって、乾燥炉（Ｄ２）内を移送するように構成されている。
【特許文献１】特開２００３−１４６４２１  （特許請求の範囲）
【発明の開示】
【発明が解決しようとする課題】
【０００５】
しかしながら、特許文献１において提案された被処理物搬送用コンベヤ装置は、搬送台車を走行させるために一対の上下レールが必要であって、構成が複雑となるばかりか、搬送台車の長さや大きさによっては、構造上、一方向に直進することはできても、円滑かつ所定速度を保持したまま、方向転換することができないという問題が見られた。また、コンベヤチェーンと、搬送台車と、が取り外し可能に構成されていないために、被処理物に対して複数処理を実行するためには、別のコンベヤチェーンを用意する一方、搬送台車から被処理物を取り外したり、搬送台車に対して、被処理物を載置したりする作業が、繰り返し必要であるという問題が見られた。さらに、被処理物を搬送台車中に載置するだけであって、スピンドルが全くないため、被処理物を回転させながら、均一に塗装等の表面処理を行なうことが困難であるという問題が見られた。
そこで、本発明者らは、従来の問題を鋭意検討した結果、被処理物を取り付けるためのスピンドルを有する長尺物を、長尺台車に対して、取り外し可能に構成するとともに、長尺台車と、移動手段との間に、複数の接合箇所の間の距離を変更するための可変部材を設けることにより、コンベヤチェーンが周回運動等する場合であっても、複数の接合箇所の間の距離が適宜可変して、長尺物を載せたまま方向転換が円滑にできることを見出し、本発明を完成させたものである。
すなわち、スピンドルを介して、被処理物を長尺物に取り付けた状態で、長尺台車とともに、移動手段および可変部材によって、直進進行のみならず非直進進行（周回動作）についても円滑かつ定速に行なうことができ、その結果、当該被処理物に対して効率的に表面処理を施すことができる被処理物搬送装置、およびそれを用いた被処理物の装飾方法を提供することを目的とする。
【課題を解決するための手段】
【０００６】
本発明は、被処理物を取り付けるためのスピンドルを有する長尺物と、当該長尺物を取り外し可能に係合する長尺台車と、当該長尺台車を移動させるための移動手段と、を備えた被処理物搬送装置であって、長尺台車と、移動手段との間に、複数の接合箇所を設けるとともに、長尺台車の非直進進行に伴って、当該複数の接合箇所間の距離を変更するための可変部材を設けることを特徴とする被処理物搬送装置である。
【０００７】
また、本発明の被処理物搬送装置を構成するにあたり、接合箇所の間の距離を変更するための可変部材として、接合箇所の少なくとも一つに、距離アジャスタを設けることが好ましい。
【０００８】
また、本発明の被処理物搬送装置を構成するにあたり、可変部材の一部または全部の動作を停止させるか、あるいは可変部材を取り外して、当該複数の接合箇所間の距離を一定値に固定変更することが好ましい。
【０００９】
また、本発明の被処理物搬送装置を構成するにあたり、移動手段が、コンベヤチェーンであることが好ましい。
【００１０】
また、本発明の被処理物搬送装置を構成するにあたり、長尺物の長さを２０〜２，０００ｍｍの範囲内の値とすることが好ましい。
【００１１】
また、本発明の被処理物搬送装置を構成するにあたり、スピンドルを回転させるための回転手段が設けてあることが好ましい。
【００１２】
また、本発明の別の態様は、被処理物搬送装置を用いて、被処理物に対して、装飾処理を行う製造方法において、下記工程（１）および（２）を含むことを特徴とする被処理物の装飾方法である。
（１）被処理物を取り付けるためのスピンドルを有する長尺物と、当該長尺物を取り外し可能に係合する長尺台車と、当該長尺台車を移動させるための移動手段と、を備えた被処理物搬送装置であって、長尺台車と、移動手段との間に、複数の接合箇所を設けるとともに、長尺台車の非直進進行に伴って、当該複数の接合箇所間の距離を変更するための可変部材を設けた被処理物搬送装置を用いて、被処理物に対して、表面処理を行う工程
（２）表面処理した被処理物をスピンドルに取り付けたまま、当該スピンドルを有する長尺物を長尺台車から取り外し、表面処理した被処理物を加熱または蒸着処理する工程
【００１３】
また、本発明の被処理物の装飾方法を実施するにあたり、工程（１）において、コンベヤチェーンを周回動作させながら、長尺物のスピンドルの取り付けた被処理物に対して、表面処理を行うことが好ましい。
【発明の効果】
【００１４】
本発明の被処理物搬送装置によれば、長尺台車と、移動手段との間に、所定の可変部材を設けることにより、コンベヤチェーンが直進進行する場合はもちろんのこと、非直進進行（周回運動等）する場合であっても、長尺物をそのまま載せた状態で、コンベヤチェーンの進行方向に沿って長尺台車の進行方向を転換させることができる。
また、被処理物を取り付けたスピンドルを有する長尺物が、長尺台車に対して取り外し可能に構成してあることから、被処理物に対して、次工程の処理を実施するたびに、長尺物と一緒に、被処理物を移動したり、処理したりすることができる。すなわち、被処理物を長尺物のスピンドルから取り外す工程が不要になるとともに、被処理物の取り扱いにおける損傷等のおそれも少なくなって、結果として、被処理物の生産効率を極めて高めることができる。
【００１５】
また、本発明の被処理物搬送装置によれば、接合箇所の少なくとも一つに、距離アジャスタを設けることにより、長尺台車の非直進進行に伴って、当該複数の接合箇所間の距離が変化した場合であっても、迅速かつスムーズに変更することができる。したがって、コンベヤチェーンが周回運動する場合であっても、長尺物をそのまま載せた状態で、コンベヤチェーンの進行方向に沿って長尺台車の進行方向を転換させることができる。
【００１６】
また、本発明の被処理物搬送装置によれば、可変部材の一部または全部の動作を停止させるか、あるいは可変部材を取り外して、当該複数の接合箇所間の距離を一定値に固定することにより、長尺台車を一定方向のみに進行させる場合に、被処理物に対して、さらに迅速かつ安定的に処理することができる。
【００１７】
また、本発明の被処理物搬送装置によれば、移動手段が、所定のコンベヤチェーンであることにより、長尺台車を結合した状態で、スムーズに直進進行も非直進進行（周回運動）もすることができる。また、所定のコンベヤチェーンであれば、被処理物に対する表面処理を実施した場合に、塗布液の影響等を比較的有効に防止することができる。
【００１８】
また、本発明の被処理物搬送装置によれば、長尺物の長さを所定範囲の値とすることにより、被処理物の搬送効率や表面処理速度と、長尺台車を結合した状態での非直進進行（周回運動）とのバランスをさらに良好なものとすることができる。
【００１９】
また、本発明の被処理物搬送装置によれば、スピンドルを回転させるための回転手段が設けてあることにより、外部に設けたベルト等をスピンドルの回転手段に接触させることができる。したがって、スピンドルおよびそれに取り付けた被処理物を回転させることができ、被処理物に対して、均一に表面処理等を施すことができる。
【００２０】
また、本発明の被処理物の装飾方法によれば、長尺台車と、移動手段との間に、所定の可変部材を設けることにより、コンベヤチェーンが非直進進行せず、周回運動等する場合であっても、長尺物を載せたまま方向転換させることができる。
また、被処理物を取り付けるためのスピンドルを有する長尺物を長尺台車との間で取り外し可能に構成してあることから、次工程での処理を実施するたびに、被処理物を、スピンドルを取り外す必要がなくなり、被処理物の生産効率を極めて高めることができ、全体として製造時間を短縮することができる。
【００２１】
また、本発明の被処理物の装飾方法によれば、コンベヤチェーンを周回動作させながら、被処理物に対して表面処理を行うことにより、被処理物搬送装置の小型化を図ることができるとともに、被処理物に対して、均一に塗装処理等を施すことができる。
【発明を実施するための最良の形態】
【００２２】
[第１の実施形態]
第１の実施形態は、被処理物を取り付けるためのスピンドルを有する長尺物と、当該長尺物を取り外し可能に係合する長尺台車と、当該長尺台車を移動させるための移動手段と、を備えた被処理物搬送装置であって、長尺台車と、移動手段との間に、複数の接合箇所を設けるとともに、長尺台車の非直進進行に伴って、当該複数の接合箇所間の距離を変更するための可変部材を設けることを特徴とする被処理物搬送装置である。
以下、図１〜図７を適宜参照して、第１の実施形態の被処理物搬送装置１について、具体的に説明する。
【００２３】
なお、図１は、非直進箇所（記号Ｂで、移動手段１４の外延の軌跡を示す）における被処理物搬送装置１の長尺台車１０等の動作を説明するために供する図であり、図２は、長尺台車１０と、この長尺台車１０を移動させるための移動手段１４と、接合箇所１３ａ、１３ｂ間の距離を変更するための可変部材１２と、を説明するために供する進行方向に沿った側面図であり、図３は、長尺台車１０と、当該長尺台車１０を移動させるための移動手段１４と、接合箇所１３ａ、１３ｂ間の距離を変更するための可変部材１２と、を説明するために供する進行方向に垂直方向に切断した断面図である。
また。図４（ａ）〜（ｃ）および図５（ａ）〜（ｃ）は、それぞれ長尺台車１０における複数の接合箇所１３ａ、１３ｂ間の距離変化（ｌ1〜ｌ6）を説明するために供する図であり、図６（ａ）〜（ｃ）は、スピンドル１８を有する長尺物１６と、当該長尺物１６を取り外し可能に係合する長尺台車１０と、可変部材１２と、を説明するために供する図であり、図７（ａ）〜（ｂ）は、被処理物３０を取り付けるためのスピンドル１８の拡大図および被処理物３０のスピンドル１８に対する装着図である。
【００２４】
１．長尺台車
まず、図１に示すように、被処理物搬送装置１は、接合箇所１３ａ、１３ｂ間の距離を所定範囲で移動可能とする可変手段１２と、長尺台車１０および移動手段１４を連結する複数の接合箇所１３ａ、１３ｂと、図２および図３に示すように、長尺物（図示せず）を取り外し可能に係合する係合部１０ａ、１０ｂと、を含む長尺台車１０を備えることを特徴とする。
すなわち、このような長尺台車１０を備えることにより、コンベヤチェーン等の移動手段１４が、非直進進行する場合、例えば、周回運動や波動運動等する場合であっても、図２に矢印Ｃで示すように、可変手段１２における接合箇所１３ａが、軸受け等を介して所定軸１２ｂに係合されており、対処することができる。より具体的には、接合箇所１３ａが、所定軸１２ｂに沿って、所定距離だけ平行移動することができ、その結果、複数の接合箇所１３ａ、１３ｂ間の距離を可変とすることができる。したがって、長尺物１６を載せたまま、長尺台車１０が移動手段１４の動きに沿って非直進進行したとしても、可変手段１２の働きにより、複数の接合箇所１３ａ、１３ｂ間の距離を円滑に調整することができる。よって、図１に示すように、長尺台車１０が、移動手段１４の動きに沿って、方向転換等を図ることができ、被処理物搬送装置１を含む工場ライン設計を容易にしたり、簡略化したりすることが可能となる。
また、このような長尺台車１０を用いることにより、後述する長尺物１６の端部を、係合部１０ａ、１０ｂの溝１０ｃに圧入するだけで、長尺物１６を、長尺台車１０から取り外し可能に載置することができる。したがって、次工程の処理を実施するたびに、被処理物を、スピンドルから取り外す必要がなくなり、すなわち、被処理物を長尺物１６とともに移動等して、処理することができるため、被処理物の取り扱いが容易になるとともに、被処理物の生産効率を極めて高めることができる。
【００２５】
ここで、図４および図５を参照して、長尺台車１０における接合箇所１３ａ、１３ｂ間の距離変化を、さらに具体的に説明する。
まず、図４（ａ）に示すように、移動手段１４によって、一定方向に走行し、直進進行している長尺台車１０の接合箇所１３ａ、１３ｂ間の距離は、ｌ1で表すことができる。
次いで、図４（ｂ）に示すように、半径Ｒの外延に沿って移動手段１４が設けてあり、矢印Ａで表される方向に長尺台車１０を走行させる場合、長尺台車１０の後端部が、半径Ｒの外延の外側に一部はみ出すとともに、可変手段１２が設けてある後方の接合箇所１３ａは、前方の接合箇所１３ｂに近づくように平行移動して、その間の距離はｌ2で表されるようになり、上述した距離ｌ1よりも短くなる。
次いで、図４（ｃ）に示すように、半径Ｒの外延に沿ってさらに移動手段１４が進行し、それに対応するように長尺台車１０が進行した場合、長尺台車１０の後端部が、半径Ｒの外延の外側にさらにはみ出すとともに、後方の接合箇所１３ａは、前方の接合箇所１３ｂに近づくようにさらに平行移動して、その間の距離はｌ3で表されるようになり、上述した距離ｌ2よりもさらに短くなって、ほぼ最小値を示すことになる。
【００２６】
次いで、図５（ａ）に示すように、半径Ｒの外延に沿ってさらに移動手段１４が進行し、それに対応して長尺台車１０が進行すると、長尺台車１０の後端部は、半径Ｒの外延の外側にはみ出しながら、その位置を変えるとともに、後方の接合箇所１３ａは、前方の接合箇所１３ｂと所定距離ｌ4を保ちながら移動することになる。
次いで、図５（ｂ）に示すように、半径Ｒの外延に沿ってさらに移動手段１４が進行し、長尺台車１０が当初の進行方向に対して、ほぼ垂直方向に進行するようになると、長尺台車１０の後端部の、半径Ｒの外延からのはみ出しは小さくなる一方、長尺台車１０の後方の接合箇所１３ａは、前方の接合箇所１３ｂから離れる方向に移動して、その間の距離ｌ5は、上述した所定距離ｌ4よりも長くなる。
さらに、図５（ｃ）に示すように、半径Ｒの外延に沿ってさらに移動手段１４が進行し、長尺台車１０が当初の進行方向に対して、垂直方向に進行するようになると、長尺台車１０の後端部の半径Ｒの外延からのはみ出しは無くなる一方、長尺台車１０の後方の接合箇所１３ａは、前方の接合箇所１３ｂから離れる方向にさらに移動して、その間の距離ｌ6は、図４（ａ）に示すように、移動手段１４によって、一定方向に走行していた際の距離ｌ1と等しくなる。
【００２７】
すなわち、このようにして、移動手段１４がほぼ垂直方向に進行方向を変える場合であっても、移動手段１４の動作に沿って、長尺台車１０が方向転換等を図ることができるが、図４および図５に示す動作は一例であって、図６（ａ）に示すように、可変手段１２を、前方の接合箇所１３ｂに設けても良く、あるいは、図６（ｂ）に示すように、かかる可変手段１２を、複数の接合箇所１３ａ、１３ｂにそれぞれ設けても良い。
さらに言えば、図６（ｃ）に示すように、可変手段１２を供えた接合箇所１３ｂを有する長尺台車１０の間に、接合箇所１３ａ、１３ｂ間の距離が問題とならないように、一つの接合箇所１３ｃを有する長尺台車１０を配置することも好ましい。その場合、接合箇所１３ｃを中心として、長尺台車１０の左右のバランスが問題となる場合があるため、当該長尺台車１０の長さを比較的短くする、例えば、５０ｃｍ以下とすることが好ましい。
【００２８】
２．長尺物
図６および図７に示すように、長尺物１６は、被処理物３０を取り付けるためのスピンドル１８を有するものであれば良い。
この理由は、図７に示すように、被処理物３０、例えば、ガラス容器、樹脂成形品、キャップ類、携帯電話部品、携帯電話筐体等をスピンドル１８およびその先端に設けた圧入部２０を介して、長尺物１６に強固に取り付けることができ、かかる長尺物１６と、係合部１０ａ、１０ｂにおいて係合する長尺台車１０とともに、移動手段１４によって、一定方向のみならず周回動作等させることができるためである。また、図７（ａ）および（ｂ）に示すような、複数枚の羽型の圧入部２０であれば、被処理物３０の間で内径等の相違があっても、長尺物１６に対して、わずかな力で挿入することができる。一方、挿入した後は、複数枚の羽型の圧入部２０が外側に向かって開き、加熱炉等において温度変化が生じたとしても、被処理物３０を、ほぼ一定の力で長尺物１６に対して押圧し、抜け防止を図ることができる。
なお、かかる長尺物１６の形態は、棒状であっても、平板状であっても良いが、被処理物３０を加熱等する際にも劣化しないように、鉄や銅等の金属や軽量セラミック、あるいは耐熱性樹脂等から構成してあることが好ましい。
【００２９】
また、図６および図７に示す被処理物３０を取り付けるスピンドル１８を有する長尺物１６の長さを２０〜２，０００ｍｍの範囲内の値とすることが好ましい。
この理由は、かかる長尺物の長さをこのような範囲内の値とすることにより、被処理物の搬送効率や表面処理速度と、長尺台車を結合した状態での非直進進行（周回運動等）とのバランスをさらに良好なものとすることができるためである。
すなわち、長尺物の長さが２０ｍｍ未満の値になると、設けられるスピンドルの数が減少し、そのために、一回の処理に適用できる被処理物の数が低下し、生産効率が低下したり、可変部材の取り付け位置が過度に制約されたりする場合があるためである。
一方、長尺物の長さが２，０００ｍｍ超になると、所定速度で、非直進進行を円滑に実施させることが困難になる場合があるためである。
したがって、かかる長尺物の長さを４０〜１，０００ｍｍの範囲内の値とすることがより好ましく、６０〜８００ｍｍの範囲内の値とすることがさらに好ましい。
【００３０】
また、図６および図７に示すように、長尺物１６において、スピンドル１８を回転させるための回転手段２２が設けてあることが好ましい。
すなわち、スピンドル１８を回転させるための回転手段２２を下方に設けるとともに、回転手段２２の一部が、長尺物１６の幅よりもはみ出すような寸法とし、回転手段２２の側方に設けてある駆動体、例えば、一対のベルト２４ａ、２４ｂと接触させる構成とすることが好ましい。
このように構成することにより、一対のベルト２４ａ、２４ｂをスピンドル１８の回転手段２２に、所定圧力で接触させた状態で回転させ、それに対応させて被処理物３０を回転させながら、表面処理等を均一に実施することができるためである。また、一対のベルト２４ａ、２４ｂを介して、スピンドル１８を間接的に回転させることにより、駆動体の耐久性を飛躍的に伸ばすことができるためである。
【００３１】
３．移動手段
また、移動手段１４の形態は特に制限されるものではないが、例えば、図２に示すように、コンベヤチェーンであることが好ましい。
この理由は、かかるコンベヤチェーンを周回動作させながら、長尺物のスピンドルの取り付けた被処理物に対して、表面処理を行うことにより、被処理物搬送装置の小型化を図ることができるとともに、均一に塗装処理等を実施することができるためである。
また、かかるコンベヤチェーンであれば、所定の耐久性も得ることができるためである。
【００３２】
４．可変手段
また、接合箇所の間の距離を変更するための可変部材の形態は特に制限されるものではないが、例えば、接合箇所の少なくとも一つに、図１等に示す距離アジャスタ１２を設けることが好ましい。
この理由は、このような距離アジャスタ１２を設けることにより、長尺台車の非直進進行に伴って、当該複数の接合箇所間の距離が変化した場合であっても、迅速かつスムーズに変更することができるためである。したがって、コンベヤチェーンが周回運動する場合であっても、長尺物をそのまま載せた状態で、コンベヤチェーンの進行方向に沿って長尺台車の進行方向を転換させることができる。
また、かかる距離アジャスタ１２の動作および接合箇所１３ａ、１３ｂとの関係は、既に上述した通りであるが、その構成に関しては、例えば、接合箇所１３ａ、１３ｂが支持棒等に軸受けを介して係合しているとともに、接合箇所１３ａ、１３ｂが、支持棒に沿った所定範囲において、平行移動可能なようにスライド機構を有しておれば良い。
ただし、場合によっては、可変部材の一部または全部の動作を停止させるか、あるいは可変部材を取り外して、当該複数の接合箇所間の距離を一定値に固定変更することも好ましい。
この理由は、長尺台車を一定方向のみに進行させる場合には、被処理物に対して、さらに迅速かつ安定的に処理することができるためである。
【００３３】
[第２の実施形態]
第２の実施形態は、被処理物搬送装置を用いて、被処理物に対して、装飾処理を行う製造方法において、下記工程（１）および（２）を含むことを特徴とする被処理物の装飾方法である。
（１）被処理物を取り付けるためのスピンドルを有する長尺物と、当該長尺物を取り外し可能に係合する長尺台車と、当該長尺台車を移動させるための移動手段と、を備えた被処理物搬送装置であって、長尺台車と、移動手段との間に、複数の接合箇所を設けるとともに、当該複数の接合箇所間の距離を変更可能なように可変部材を設けた被処理物搬送装置を用いて、被処理物に対して、表面処理を行う工程
（２）表面処理した被処理物をスピンドルに取り付けたまま、当該スピンドルを有する長尺物を長尺台車から取り外し、表面処理した被処理物を加熱または蒸着処理する工程
なお、以下の説明では、図８（ａ）〜（ｂ）に示すようにベルト２４ａ、２４ｂおよびそれによって回転するスピンドル１８を用いて、被処理物３０としてのガラス容器４０に対して塗装処理等を実施し、図９（ａ）〜（ｂ）に示すような塗装ガラス容器５０、５１´を作成する場合を例にとって説明する。
【００３４】
１．工程（１）
（１）被処理物
被処理物としては、図９（ａ）〜（ｂ）に示すようなガラス容器４０や、樹脂成形品が典型的であるが、例えば、化粧ビンや薬用ビン等のガラス容器における用途に対応させて、ボトルネック型のガラスビン、矩形状のガラスビン、円筒状のガラスビン、異形のガラスビン、矩形状のガラス箱、円筒状のガラス箱、異形のガラス箱、ありは携帯用筐体、蓋類、さらには各種成形品等が挙げられる。
また、ガラス容器や樹脂成形品の形状に関して、外周部に沿って肉厚部を設けたり、あるいは外周部の一部に面取り部を設けたりすることも好ましい。
この理由は、このようなガラス容器や樹脂成形品であれば、硬化塗膜を部分的に形成した後に、ガラス容器を正面から眺めた場合に、外周部の肉厚部や面取り部において光が集光し、より鮮明かつ複雑な色を観察することができるためである。
【００３５】
（２）表面処理工程
（２）−１  プライマー処理工程
また、図９（ａ）〜（ｂ）に示すように、ガラス容器４０の表面に下地層（プライマー層）５１、５１´を、全面的または部分的に備えて、ガラス容器４０と、硬化性組成物からなる硬化塗膜５３との間の密着性を高めることが好ましい。
より具体的には、下地層の構成材料として、ポリシロキサン系樹脂、メラミン樹脂、フェノール樹脂、ユリア樹脂、グアナミン樹脂、エポキシ樹脂、ポリウレタン樹脂、ポリエステル樹脂、アクリル樹脂、およびこれらの誘導体を含む熱硬化性組成物や紫外線硬化性組成物を用いることが好ましい。
【００３６】
特に、ポリシロキサン系の下地層を備えることにより、硬化塗膜の硬さを所望範囲内の値に容易に調整することができ、ガラス容器と、硬化塗膜との間の剥離を有効に防止することができる。
また、下地層の構成材料として、メラミン樹脂等に、ポリオール化合物、例えば、ヒドロキシル基含有アクリル樹脂、ヒドロキシル基含有エポキシ樹脂、ヒドロキシル基含有ポリエステル樹脂、ヒドロキシル基含有ウレタン樹脂等を反応させて構成したポリオール変性ホルムアルデヒド系樹脂を使用することも好ましい。
この理由は、このようなポリオール変性ホルムアルデヒド系樹脂を使用することにより、ガラスに対する密着力を向上させるとともに、硬化塗膜の平滑性や薄膜性をより向上させることができるためである。
【００３７】
（２）−２  塗装処理工程
塗装処理工程においては、図８（ａ）〜（ｂ）に示すようにベルト２４を用いて、スピンドル１８を回転させながら、それに装着された被処理物であるガラス容器４０を回転移動させながら、塗装処理等を実施することが好ましい。
すなわち、塗装装置を用いて、熱硬化性組成物や紫外線硬化性組成物からなる塗布液を、複数個のガラス容器に対して吹きつけ、同時塗布することが好ましい。
ここで、熱硬化性組成物等の塗布方法は、特に限定されないものの、例えば、静電塗装法、電着塗装法、ロールコーター法、エアースプレー法、エアレススプレー法、カーテンフローコーター法等を挙げることができる。
そして、これらの塗布方法のうち、より薄膜化が可能で、ガラスの曲面にも均一に塗布することができる一方、塗布装置の構造も簡易であることから、静電塗装法やエアースプレー法を用いることがより好ましい。
【００３８】
また、塗布液としては、その性状として液体や固体であっても良く、さらには、蒸着材料やスパッタリング材料であっても良いが、より具体的には、熱硬化性組成物や紫外線硬化性組成物からなるとともに、主剤として、ポリシロキサン系樹脂、メラミン樹脂、フェノール樹脂、ユリア樹脂、グアナミン樹脂、エポキシ樹脂、ポリウレタン樹脂、ポリエステル樹脂、アクリル樹脂、およびこれらの誘導体を含むことが好ましい。
特に、主剤として、ポリシロキサン系樹脂を含むことにより、硬化塗膜の硬さを所望範囲内の値に容易に調整することができるとともに、耐水性や耐熱性についても向上できることから好ましい樹脂である。
また、メラミン樹脂等に、ポリオール化合物、例えば、ヒドロキシル基含有アクリル樹脂、ヒドロキシル基含有エポキシ樹脂、ヒドロキシル基含有ポリエステル樹脂、ヒドロキシル基含有ウレタン樹脂等を反応させて構成したポリオール変性ホルムアルデヒド系樹脂を含むことにより、ガラス容器に対する密着力を向上させるとともに、硬化塗膜の平滑性や薄膜性をより向上させることができる。より具体的には、メラミン樹脂１００重量部に対して、アクリルポリオール化合物を５０〜３００重量部、ラクトンポリオール化合物を５〜１００重量部の範囲でそれぞれ配合することが好ましい。
【００３９】
（２）−３  蒸着処理工程
次いで、蒸着処理（スパタッリング処理を含む）を実施するにあたり、例えば、真空蒸着法やスパタッリング法を用いることが好ましい。
すなわち、真空蒸着法やスパタッリング法を採用するとともに、加熱方式として、少なくとも１つの電子銃（ＥＢ銃）や、抵抗加熱、高周波誘導加熱、レーザービーム加熱等を備えることが好ましい。
より具体的には、ＴｉＯ2、ＳｉＯ2、Ｔａ2Ｏ5、Ａｌ2Ｏ3、ＺｒＯ2、ＭｇＦ2等を用いて多層膜を形成しても良い。また、基板にバイアス等を加えたり、基板温度を上昇させたり、あるいは冷却したりするなど、蒸着条件を変化させることも好ましい。
また、同一の電子銃で複数の蒸着源を加熱する場合には、電子ビームを走査して各蒸着源を時分割で加熱することが好ましい。
さらに、蒸着膜の組成や厚さの制御方法としては、同一の電子銃で加熱する場合、各蒸着源を走査する時間を制御することが好ましいし、一方、複数の電子銃で加熱する場合には、各蒸着源に対応させて、入力電力を制御する方法を採ることも好ましい。
【００４０】
なお、蒸着処理（スパタッリング処理を含む）を実施するにあたり使用する真空蒸着装置の形態も特に制限されるものではないが、少なくとも真空容器と、真空ポンプと、加熱部（電子銃）と、ガラス容器保持部と、を備えることが好ましい。また、蒸着源からの蒸着物の蒸発状態を制御するための加熱部の駆動制御部およびシャッターが設けてあることが好ましい。したがって、当該駆動制御部を介して、加熱部から、複数の蒸着源に対して電子線を照射し、シャッター１７を開閉しながら、ガラス容器保持部に保持されたガラス容器に対して、屈折率が異なる複数の蒸着膜からなる多層膜を形成することができる。
【００４１】
（３）被処理物搬送装置
被処理物搬送装置については、第１の実施形態と同様の内容とすることができるため、ここでの説明を省略する。
【００４２】
２．工程（２）
表面処理した被処理物をスピンドルに取り付けたまま、当該スピンドルを有する長尺物を長尺台車から取り外し、表面処理した被処理物を加熱または蒸着処理する工程である。
例えば、複数個のガラス容器を重ねたままの状態で、加熱または紫外線照射等により、塗布した熱硬化性組成物や紫外線硬化性組成物を硬化させて硬化塗膜を形成することが好ましい。
また、硬化工程における硬化条件（焼き付け条件）は、使用する熱硬化性組成物の反応性に応じて適宜変更可能であるが、通常、１４０℃〜２５０℃、１〜１２０分の条件で行うことが好ましく、１５０℃〜２３０℃、５分〜６０分の条件で行うことがより好ましく、１６０℃〜２２０℃、１０分〜３０分の条件で行うことがさらに好ましい。
また、熱硬化性組成物が、常温乾燥塗料である場合には、室温で１日〜１週間乾燥させることが好ましく、２〜４日乾燥させることも好ましい。
さらに、紫外線硬化性組成物を使用した場合には、紫外線の露光量を例えば、５０〜１，０００ｍＪ／ｃｍ2の範囲内の値にして、硬化塗膜を形成することが好ましい。
【００４３】
また、形成する硬化塗膜の厚さを１〜１００μｍの範囲内の値とすることが好ましい。
この理由は、かかる硬化塗膜の厚さが１μｍ未満の値になると、強度が不足して、ガラス容器の表面から容易に剥離したり、均一に形成することが困難となったりする場合があるためである。一方、かかる硬化塗膜の厚さが１００μｍを超えると、その上の多層膜が剥離しやすくなる場合があるためである。
したがって、硬化塗膜の厚さを５〜５０μｍの範囲内の値とすることがより好ましく、１０〜３０μｍの範囲内の値とすることがさらに好ましい。
【産業上の利用可能性】
【００４４】
本発明の被処理物搬送装置および被処理物の装飾方法によれば、複数の被処理物を、スピンドルを介して長尺物に取り付けた状態で、当該長尺物を長尺台車とともに、直進進行のみならず非直進進行（周回動作等）させる場合であっても、表面処理することができるようになった。
また、所定長さを有する長尺台車を用いた場合であっても、方向転換等を容易に図ることができるため、被処理物搬送装置を含む工場ライン設計を容易にしたり、簡略化したりすることも可能となった。
さらに、表面処理した被処理物を長尺物のスピンドルに取り付けたまま、長尺台車から取り外し、そのまま加熱したり、蒸着処理したりすることも可能になった。
したがって、化粧用ガラス容器、包装用ガラス容器、装飾用ガラス容器、携帯電話の筐体、パーソナルコンピュータの周辺機器、その他各種電気製品等の高い装飾性が要求される被処理物を極めて安価かつ迅速に装飾処理することができるようになった。
【図面の簡単な説明】
【００４５】
【図１】本発明の被処理物搬送装置の非直進進行箇所における動作を説明するために供する図である。
【図２】長尺台車と、当該長尺台車を移動させるための移動手段と、接合箇所間の距離を変更するための可変部材と、を説明するために供する進行方向に沿った側面図である。
【図３】長尺台車と、当該長尺台車を移動させるための移動手段と、接合箇所間の距離を変更するための可変部材と、を説明するために供する進行方向に垂直方向に切断した断面図である。
【図４】（ａ）〜（ｃ）は、接合箇所間の距離変化を説明するために供する図である（その１）。
【図５】（ａ）〜（ｃ）は、接合箇所間の距離変化を説明するために供する図である（その２）。
【図６】（ａ）〜（ｃ）は、スピンドルを有する長尺物と、当該長尺物を取り外し可能に係合する長尺台車と、可変部材と、を説明するために供する図である。
【図７】（ａ）〜（ｂ）は、スピンドルの拡大図および被処理物を取り付けた状態を説明するために供する図である。
【図８】（ａ）〜（ｂ）は、スピンドルの回転動作を説明するために供する図である。
【図９】（ａ）〜（ｂ）は、塗装ガラス容器の態様を説明するために供する図である。
【図１０】従来のスピンドル装置を用いた塗布装置を説明するために供する図である。
【図１１】従来の被処理物搬送用コンベヤ装置を説明するために供する図である。
【符号の説明】
【００４６】
１：被処理物搬送装置
１０：長尺台車
１２：可変部材
１３、１３ａ、１３ｂ：接合箇所
１４：移動手段
１６：長尺物
１８：スピンドル
２２：回転手段
２４、２４ａ、２４ｂ：ベルト
３０：被処理物
４０：ガラス容器
５０、５０´：塗装ガラス容器
５１、５１´：下地層（プライマー層）
５３：硬化塗膜
【図１】
2005320114.tif 000003
【図２】
2005320114.tif 000004
【図３】
2005320114.tif 000005
【図４】
2005320114.tif 000006
【図５】
2005320114.tif 000007
【図６】
2005320114.tif 000008
【図７】
2005320114.tif 000009
【図８】
2005320114.tif 000010
【図９】
2005320114.tif 000011
【図１０】
2005320114.tif 000012
【図１１】
2005320114.tif 000013